(57)【要約】  【課題】扉化粧板の表側の透明部に操作ボタンを配置した冷蔵庫扉の外観意匠性を高める。  【解決手段】扉化粧板固定部１１の前面に配置した扉化粧板１２を有し、扉化粧板１２を透明樹脂で形成するとともに、透明部と着色部を有した化粧フィルム１３を扉化粧板１２の表側に貼り付け、化粧フィルム１３の透明部に対向する扉化粧板１２の裏側に着色シート１９を配置し、扉化粧板１２と化粧フィルム１３と着色シート１９に共通する開口穴を設け、前記開口穴に操作ボタンを配置したものであり、扉化粧板の透明部に操作ボタンを配置しながら、扉化粧板の外観に立体的で深み感のあるデザインを持たせることにより、冷蔵庫扉としての意匠性の向上を図る共に、冷蔵庫全体の外観意匠の向上をさせることができる。【選択図】図４
2007040630.tif 000002
【特許請求の範囲】
【請求項１】
前面板と扉内板との間に発泡充填された断熱材とから扉本体を形成するもので、前記前面板の端面に収納空間を有して係合固着された扉化粧板固定部と、前記扉化粧板固定部の前面に配置した扉化粧板とを有し、前記扉化粧板を透明樹脂で形成するとともに、透明部と着色部を有した化粧フィルムを前記扉化粧板の表側に貼り付け、前記化粧フィルムの透明部に対向する前記扉化粧板の裏側に着色シートを配置し、前記扉化粧板と前記化粧フィルムと前記着色シートに共通する開口穴を設け、前記開口穴に操作ボタンを配置したことを特徴とする冷蔵庫扉。
【請求項２】
化粧フィルムは意匠印刷フィルムからなり、扉化粧板の成形時にインサート成形により扉化粧板の外表面に配置させたことを特徴とする請求項１に記載の冷蔵庫扉。
【請求項３】
扉化粧板の裏面に断面凹凸形状を設けたことを特徴とする請求項１または２に記載の冷蔵庫扉。
【請求項４】
扉化粧板の裏面にリブやツメ形状を設け、それによって着色シートを固定したことを特徴とする請求項１から３のいずれか一項に記載の冷蔵庫扉。
【請求項５】
着色シートは透明樹脂からなり、シートの片面に全面塗装したことを特徴とする請求項１から４のいずれか一項に記載の冷蔵庫扉。
【請求項６】
化粧フィルムは一体で形成されており、その化粧フィルムの透明部は有色であり、透明部以外の着色された部分とは異なる色調を持ったことを特徴とする請求項１から５のいずれか一項に記載の冷蔵庫扉。
【請求項７】
化粧板の裏側にリブやツメ形状を設け、着色シートを介した状態で制御基板ユニットを固定したことを特徴とする請求項１から６のいずれか一項に記載の冷蔵庫扉。
【発明の詳細な説明】
【技術分野】
【０００１】
本発明は、冷蔵庫扉に係り、扉の前面に配置した扉化粧板を設けた扉構成に関するものである。
【背景技術】
【０００２】
近年、表面意匠を重視した冷蔵庫を市場から求められるとともに、冷蔵庫本体の前面開口を閉塞する扉の前面にデザインに重点をおいた化粧パネル部材を設けた冷蔵庫が販売されている。従来、この種の冷蔵庫扉は扉化粧パネル部材を前面板に取付け、冷蔵庫外観の意匠の向上を図っている（例えば、特許文献１参照）。
【０００３】
以下、図面を参照しながら、上記従来の冷蔵庫について説明する。図６は従来の冷蔵庫扉を示すものである。図６において、冷蔵庫扉１０１は扉前面を形成する前面板１０２の上端の扉キャップ（図示せず）と下端の扉キャップ１０３で閉塞して扉内板（図示せず）との間に断熱材を充填し、その後、透明樹脂で成形され、表面一体に化粧フィルムを貼り付けられた扉化粧板１０４を、前面板１０２、若しくは扉化粧板固定部１０５にビス等で固定される。
【特許文献１】特開２００４−３２５０１１号公報
【発明の開示】
【発明が解決しようとする課題】
【０００４】
しかしながら、上記従来の構成では、扉化粧板の外観は、扉化粧板１０４の表面に貼り付けられた化粧フィルムへの依存が大きいため、冷蔵庫扉の外観意匠に立体的で、深み感を持たせたデザインを用いることが難しいという課題を有していた。
【０００５】
本発明は、上記従来の課題を解決するものであり、扉化粧板に立体的で、深み感を持たせ、扉化粧板の意匠性を向上させることにより、良好な外観を得た冷蔵庫扉を提供することを目的とする。
【課題を解決するための手段】
【０００６】
上記従来の課題を解決するために、本発明の冷蔵庫扉は、前面板と扉内板との間に発泡充填された断熱材とから扉本体を形成するもので、前記前面板の端面に収納空間を有して係合固着された扉化粧板固定部と、前記扉化粧板固定部の前面に配置した扉化粧板とを有し、前記扉化粧板を透明樹脂で形成するとともに、透明部と着色部を有した化粧フィルムを前記扉化粧板の表側に貼り付け、前記化粧フィルムの透明部に対向する前記扉化粧板の裏側に着色シートを配置し、前記扉化粧板と前記化粧フィルムと前記着色シートに共通する開口穴を設け、前記開口穴に操作ボタンを配置したものである。
【０００７】
これによって、扉化粧板の表側の透明部に操作ボタンを配置した冷蔵庫扉で、扉化粧板の化粧フィルムと、扉化粧板の透明部の裏側に固定された着色シートの間に距離が生まれ、また、扉化粧板の透明部から着色シートが透けて見えることにより、扉化粧板の外観意匠に立体的で深み感のあるデザインを持たせることが可能となる。
【発明の効果】
【０００８】
本発明の冷蔵庫扉は、扉化粧板の表側の開口穴に操作ボタンを配置しながら、扉化粧板の外観に立体的で深み感のあるデザインを持たせることにより、冷蔵庫扉としての意匠性の向上を図る共に、冷蔵庫全体の外観意匠の向上をさせることができる。
【発明を実施するための最良の形態】
【０００９】
請求項１に記載の発明は、前面板と扉内板との間に発泡充填された断熱材とから扉本体を形成するもので、前記前面板の端面に収納空間を有して係合固着された扉化粧板固定部と、前記扉化粧板固定部の前面に配置した扉化粧板とを有し、前記扉化粧板を透明樹脂で形成するとともに、透明部と着色部を有した化粧フィルムを前記扉化粧板の表側に貼り付け、前記化粧フィルムの透明部に対向する前記扉化粧板の裏側に着色シートを配置し、前記扉化粧板と前記化粧フィルムと前記着色シートに共通する開口穴を設け、前記開口穴に操作ボタンを配置したものであり、扉化粧板の透明部に操作ボタンを配置しながら、扉化粧板の外観に立体的で深み感のあるデザインを持たせることにより、冷蔵庫扉としての意匠性の向上を図る共に、冷蔵庫全体の外観意匠の向上をさせることができる。
【００１０】
請求項２に記載の発明は、請求項１に記載の発明において、化粧フィルムは意匠印刷フィルムからなり、扉化粧板の成形時にインサート成形により扉化粧板の外表面に配置させたことにより、扉化粧板の外観の意匠効果を向上させることができる。また、化粧フィルムの色調を変えることにより扉化粧板の色調を変えることが可能となるため、色調の異なる冷蔵庫扉が容易に、またフィルムのみ変更であるためコストを低減させた冷蔵庫を提供することができる。
【００１１】
請求項３に記載の発明は、請求項１または２に記載の発明において、扉化粧板の裏面に断面凹凸形状を設けたことにより、透明樹脂で形成された扉化粧板の表面に貼り付けられた化粧フィルムの透明部から見えた着色シートにおいて、断面凹凸形状が光を拡散させるため、着色シートの見え方に深み感が増し、さらにその断面凹凸形状が影を作り出すことにより扉化粧板の透明部に縞模様が入り、扉化粧板の外観の意匠効果をさらに向上させることができる。
【００１２】
請求項４に記載の発明は、請求項１から３のいずれか一項に記載の発明において、扉化粧板の裏面にリブやツメ形状を設け、それによって着色シートを固定したことにより、着色シートを扉化粧板の裏面に固定するための粘着テープ等を用いることがないため、コストの低減を図ることができる。さらに、作業工程における着色シートの取り付けを容易に行うことができ、作業性の確保を図ることができる。
【００１３】
請求項５に記載の発明は、請求項１から４のいずれか一項に記載の発明において、着色シートは透明樹脂からなり、シートの片面に全面塗装したことにより、着色シートの色調の作成、および変更が容易になり、デザイン的に求める色調が得易い。また、樹脂にて形成されていることにより、強度を持たすことが可能となり、ある程度全長が長いものであっても折れ難く、また組み立て工程における損傷がし難くなると共に、作業性の確保を図ることができる。
【００１４】
請求項６に記載の発明は、請求項１から５のいずれか一項に記載の発明において、一体で形成された化粧フィルムの透明部を有色にし、透明部以外の着色された部分とは異なる色調を持たせたことにより、扉化粧板の透明部が周りから強調されるため、より鮮やかな印象を与えることができ、扉化粧板の外観意匠をさらに向上させることができる。また、透明樹脂にて形成された扉化粧板の樹脂自体の色調を変えることなく扉化粧板の透明部の色調を変えることが可能となるため、色調の異なる冷蔵庫扉が容易になり、コストを低減させた冷蔵庫を提供することができる。
【００１５】
請求項７に記載の発明は、請求項１から６のいずれか一項に記載の発明において、化粧板の裏側にリブやツメ形状を設け、着色シートを介した状態で制御基板ユニットを固定したことにより、扉化粧板の透明部から扉化粧板の内部に配置された制御基板ユニットが透けて見えることを防ぎ、扉化粧板の外観意匠を向上させることができる。また、操作ボタンの位置の自由度が高まる。
【００１６】
以下、本発明の実施の形態について、図面を参照しながら説明するが、従来例または先に説明した実施の形態と同一符号を付して、その詳細な説明は省略する。なお、この実施の形態によってこの発明が限定されるものではない。
【００１７】
（実施の形態１）
図１は本発明の実施の形態１における冷蔵庫の正面図、図２は同実施の形態の冷蔵庫の図１のＡ−Ａ線断面図、図３は同実施の形態の冷蔵庫扉を構成する斜視図、図４は同実施の形態の冷蔵庫扉の化粧板を構成する斜視図、図５は図４の裏方向から見た斜視図である。
【００１８】
図１から図５において、冷蔵庫本体６には温度帯の異なる部屋があり、上部より冷蔵室１、製氷室２、切り替え室３、野菜室４、冷凍室５を形成している。冷蔵室１は冷蔵室扉（冷蔵庫扉）７で閉塞されている。冷蔵室扉７は図３に示すように、薄板をコの字上に折り曲げた前面板８と上下両端を閉塞する上扉キャップ９と下扉キャップ１０、左端を閉塞する扉化粧板固定部１１で形成され、扉内箱との間を発泡充填された断熱材で形成されている。
【００１９】
透明樹脂により成形された扉化粧板１２は扉化粧板本体１２ａの上部より下部まで断面凹凸形状１２ｂを形成し、中央部に開口部１２ｃを配置している。化粧フィルム１３は上部より下部まで透明部１３ａを有し、透明部以外の着色部と異なる色で形成され、扉化粧板の成形時にインサート成形により扉化粧板の外表面に一体に配置される。
【００２０】
ボタン部品１４は制御基板１７と組み立てられ、ボタン押し部１４ａと制御基板１７上に配置されたスイッチ１６は前後の関係に配置されている。ボタン押し部１４ａは着色シート１９の中央部に配置された穴１９ａと開口部１２ｃを介して外観に面する。
【００２１】
制御基板ユニット１８は化粧板本体１２ａに配置された係止部１２ｄにより固定される。着色シート１９は化粧板本体１２ａに等間隔で配置された係止部１２ｅにより固定される。以上の部品が組み立てられた扉化粧板１２は扉化粧板固定部１１に固定され外観を形成する。
【００２２】
また、着色シート１９は透明樹脂からなり、シートの片面に全面塗装して形成している。
【００２３】
また、化粧フィルムは一体で形成されており、その化粧フィルムの透明部は有色であり、透明部以外の着色された部分とは異なる色調を持ったものである。
【００２４】
以上のように構成することで、扉化粧板の透明部に深み感が出て外観をよくすることができる。また部品点数を少なくし、さらに組立工数を削減し、組立も容易にできる。また、色の展開を容易にすることができ、お客様のニーズに安価で対応することができる。また、透明部の裏に色目を配色できより鮮やかに透明部を浮かび上がらせることができる。さらに透明部がくっきり浮かび上がることでスイッチ部が分かりやすくすることができる。また、ボタンを制御する基板を隠すことができ、扉の上部から下部に一直線で透明部が作成でき、透明部の中央にボタンを設置でき外観を向上させることができる。
【産業上の利用可能性】
【００２５】
以上のように、本発明にかかる冷蔵庫は、冷蔵庫扉に係り、特に前面に扉化粧板を設けた冷蔵庫扉の意匠性が向上できるものであり、冷蔵庫扉に限らず食品貯蔵庫の扉の用途にも適用できる。
【図面の簡単な説明】
【００２６】
【図１】本発明の実施の形態１における冷蔵庫の正面図
【図２】同実施の形態の冷蔵庫の図１のＡ−Ａ線断面図
【図３】同実施の形態の冷蔵庫扉を構成する斜視図
【図４】同実施の形態の冷蔵庫扉の化粧板を構成する斜視図
【図５】同実施の形態の冷蔵庫扉の図４の裏方向から見た斜視図
【図６】従来の冷蔵庫扉の斜視図
【符号の説明】
【００２７】
７    冷蔵室扉（冷蔵庫扉）
８    前面板
１１  扉化粧板固定部
１２  扉化粧板
１２ａ  扉化粧板本体
１２ｂ  断面凹凸形状
１２ｃ  開口部
１２ｄ  係止部
１２ｅ  係止部
１３  化粧フィルム
１３ａ  透明部
１６  スイッチ
１７  制御基板
１８  制御基板ユニット
１９  着色シート
１９ａ  着色シート穴部
【図１】
2007040630.tif 000003
【図２】
2007040630.tif 000004
【図３】
2007040630.tif 000005
【図４】
2007040630.tif 000006
【図５】
2007040630.tif 000007
【図６】
2007040630.tif 000008